(57)【要約】【課題】ライン型の生体認証センサーを具えた携帯端末機において掃引速度のバラツキによる認証の誤動作を防止する。【解決手段】本発明に係る携帯端末機は、操作側筐体１と、操作側筐体１に対して開閉可能に連結された表示側筐体２と、操作側筐体１に対して表示側筐体２を開方向及び／又は閉方向に駆動する駆動機構と、何れか一方の筐体にセンサー面を露出させて配備されたライン型の指紋センサー４と、操作側筐体１に対する表示側筐体２の開閉動作を検知する検知手段と、該検知手段による検知に応じて指紋センサー４による読み取りを開始させる制御手段とを具えている。【選択図】図９
2008244698.tif 000002
【特許請求の範囲】
【請求項１】
第１筐体と、該第１筐体に対して開閉可能に連結された第２筐体と、第１筐体に対して第２筐体を開方向及び／又は閉方向に駆動する駆動機構とを具えた携帯端末機において、何れか一方の筐体にセンサー面を露出させて配備された生体認証センサーと、第１筐体に対する第２筐体の開閉動作を検知する検知手段と、該検知手段による検知に応じて生体認証センサーによる読み取りを開始させる制御手段とを具えていることを特徴とする携帯端末機。
【請求項２】
前記生体認証センサーは、ライン型の生体認証センサーであって、そのライン方向が第１筐体に対する第２筐体の開閉方向とは直交する姿勢に設置されている請求項１に記載の携帯端末機。
【請求項３】
前記駆動機構は、第１筐体に対して第２筐体が閉じ位置から開き位置へ向けて所定の位置まで開かれた時点で該第２筐体を開き位置まで付勢し、或いは第１筐体に対して第２筐体が開き位置から閉じ位置へ向けて所定の位置まで閉じられた時点で該第２筐体を閉じ位置まで付勢する、付勢手段を具えている請求項１又は請求項２に記載の携帯端末機。
【請求項４】
前記検知手段は、第１筐体に対する第２筐体の開方向及び／又は閉方向の移動を検知するものである請求項３に記載の携帯端末機。
【請求項５】
前記駆動機構は、起動釦の操作に応じて第１筐体に対して第２筐体を閉じ位置から開き位置へ向けて、或いは開き位置から閉じ位置へ向けて駆動する動力源を具えている請求項１又は請求項２に記載の携帯端末機。
【請求項６】
前記検知手段は、前記動力源に対する駆動開始指令を検知するものである請求項５に記載の携帯端末機。
【発明の詳細な説明】
【技術分野】
【０００１】
本発明は、携帯電話機等の携帯端末機に関し、特に指紋センサー等の生体認証センサーを具えた携帯端末機に関するものである。
【背景技術】
【０００２】
近年、携帯電話機においては、指紋センサーを搭載して、該指紋センサーによる個人認証に基づいて電子決済を行なうことが可能なものが知られている(特許文献１、２参照)。
指紋センサーとしては、センサー面が四角形のエリア型と、センサー面が横長のライン状であるライン型(スイープ型)とが知られており、エリア型の指紋センサーによれば、その上に指を載せるだけで２次元方向の走査が行なわれて、指紋の読み取りが行なわれるが、センサー面が大形となる欠点があるため、携帯電話機に搭載すべき指紋センサーとしては、ライン型の指紋センサーが注目されている。
【特許文献１】特開２００３−１７９６７８号公報［H04M1/23］
【特許文献２】特開２００３−２９８６９９号公報［H04M1/02］
【発明の開示】
【発明が解決しようとする課題】
【０００３】
しかしながら、ライン型の指紋センサーにおいては、走査が１次元方向に行なわれるに過ぎないため、指紋センサーのセンサー面の上に指を載せた状態でセンサー面のライン方向とは直交する方向に指をスライド(掃引)させることによって、指紋を読み取る必要がある。
この場合、掃引速度が人によって区々となり、例えば所定の掃引速度よりも高速での掃引が行なわれた場合、指紋の読み取り動作が不安定となって、誤動作が生じる虞がある。この結果、個人認証が正常に行なわれない問題があった。
【０００４】
そこで本発明の目的は、生体認証センサーを具えた携帯端末機において掃引速度のバラツキによる認証の誤動作を防止することである。
【課題を解決するための手段】
【０００５】
本発明に係る携帯端末機は、第１筐体と、該第１筐体に対して開閉可能に連結された第２筐体と、第１筐体に対して第２筐体を開方向及び／又は閉方向に駆動する駆動機構と、何れか一方の筐体にセンサー面を露出させて配備された生体認証センサーと、第１筐体に対する第２筐体の開閉動作を検知する検知手段と、該検知手段による検知に応じて生体認証センサーによる読み取りを開始させる制御手段とを具えている。
【０００６】
具体的には、前記生体認証センサーはライン型の生体認証センサーであって、そのライン方向が第１筐体に対する第２筐体の開閉方向とは直交する姿勢に設置されている。
【０００７】
上記本発明の携帯端末機においては、個人認証に際して、生体認証センサーが配備されていない一方の筐体を手に保持した状態で、その手の指を他方の筐体に配備されている生体認証センサーのセンサー面の上に載せる。この状態で、駆動機構の動作によって、第１筐体に対して第２筐体を閉じ位置から開き位置まで開き、或いは開き位置から閉じ位置まで閉じる。
これによって、前記一方の筐体に対して前記他方の筐体が相対的に移動し、この移動に伴って生体認証センサーが移動する。この過程で、生体認証センサーのセンサー面の上に載せられている指がセンサー面に対して相対的に移動することとなる。
ここで、第１筐体に対する第２筐体の開閉動作が検知されると、生体認証センサーによる読み取りが開始されるので、該開閉動作に伴って生体認証センサーの掃引が行なわれることとなる。この場合、掃引速度は、駆動機構の特性によって決定されるので、略一定速度による掃引が行なわれる。
【０００８】
具体的構成において、前記駆動機構は、第１筐体に対して第２筐体が閉じ位置から開き位置へ向けて所定の位置まで開かれた時点で該第２筐体を開き位置まで付勢し、或いは第１筐体に対して第２筐体が開き位置から閉じ位置へ向けて所定の位置まで閉じられた時点で該第２筐体を閉じ位置まで付勢する、付勢手段を具えている。
該具体的構成によれば、付勢手段の付勢力によって生体認証センサーの掃引速度が決定されることになる。
【０００９】
この場合、前記検知手段としては、第１筐体に対する第２筐体の開方向及び／又は閉方向の移動を検知する構成を採用することが出来る。
【００１０】
他の具体的構成において、前記駆動機構は、起動釦の操作に応じて第１筐体に対して第２筐体を閉じ位置から開き位置へ向けて、或いは開き位置から閉じ位置へ向けて駆動する動力源を具えている。
該具体的構成によれば、動力源の動作速度によって生体認証センサーの掃引速度が決定されることになる。
【００１１】
この場合、前記検知手段としては、前記動力源に対する駆動開始指令を検知する構成を採用することが出来る。
【発明の効果】
【００１２】
本発明に係る携帯端末機によれば、生体認証センサーの掃引速度が駆動機構の特性によって決定されるので、掃引速度のバラツキによる認証の誤動作を防止することが出来る。
【発明を実施するための最良の形態】
【００１３】
以下、本発明を携帯電話機に実施した形態につき、図面に沿って具体的に説明する。
図１〜図４はスライド式の携帯電話機を示しており、該携帯電話機においては、操作側筐体(１)の表面に表示側筐体(２)が配置され、操作側筐体(１)に対する表示側筐体(２)のスライドが可能となっている。
表示側筐体(２)の表面には図１の如くディスプレイ(21)と機能キー等の操作キー(22)が配備されている。一方、操作側筐体(１)の表面には図３の如くテンキー等の操作キー(11)が配備されている。
又、図４に示す様に、表示側筐体(２)の背面には、ライン型の指紋センサー(４)が、そのライン方向が携帯電話機のスライド方向とは直交する姿勢に配備されている(図６参照)。
【００１４】
図５に示す如く、操作側筐体(１)と表示側筐体(２)とは、スライド機構(３)によって互いにスライド可能に連結されている。スライド機構(３)は、図６に示す様に、ベース板(33)上にスライド板(32)がスライド可能に係合し、ベース板(33)とスライド板(32)の間にはバネ(31)が介在している。
そして、ベース板(33)が表示側筐体(２)に係合すると共に、スライド板(32)が操作側筐体(１)に係合している。
スライド機構(３)のベース板(33)には、スライド板(32)が一定距離だけスライドした時点でオンとなるスライド検知器(６)が配備されている。
【００１５】
従って、図１に示す閉じ状態から表示側筐体(２)を前記バネ(31)に抗してスライド方向に押し上げると、表示側筐体(２)が所定の距離だけスライドした時点で前記バネ(31)が反転し、該バネ(31)の弾性反発力によって表示側筐体(２)が図３に示す開き位置に向けて付勢されることになる。
又、図３に示す開き状態から表示側筐体(２)を前記バネ(31)に抗してスライド方向に押し下げると、表示側筐体(２)が所定の距離だけスライドした時点で前記バネ(31)が反転し、該バネ(31)の弾性反発力によって表示側筐体(２)が図１に示す閉じ位置に向けて付勢されることになる。
【００１６】
図７は、上記スライド式携帯電話機の構成を表わしている。マイクロコンピュータからなる制御回路(５)には、操作キー(11)(22)とディスプレイ(21)とが接続されており、操作キー(11)(22)の操作に応じてディスプレイ(21)の表示が制御される。
又、制御回路(５)には、指紋センサー(４)及びスライド検知器(６)が接続されており、指紋センサー(４)の読み取り信号は認識回路(７)へ供給され、該認識回路(７)によって指紋の認識が行なわれる。該認識結果は、制御回路(５)へ供給されて、個人認証のための照合が行なわれる。
指紋センサー(４)は、制御回路(５)からの読み取り開始指令に応じて指紋の読み取り(ライン方向の走査)を開始する。
【００１７】
個人認証に際しては、図９(ａ)に示す様に、操作側筐体(１)を手に保持し、その人差し指を操作側筐体(１)よりも僅かに上方へ突出させる。
そして、この状態から、図９(ｂ)の如く表示側筐体(２)を僅かにスライドさせると、前述の如く表示側筐体(２)は図９(ｃ)に示す開き位置まで自動的にスライドすることになる。
【００１８】
図９(ｂ)の途中位置から図９(ｃ)の開き位置へ至る表示側筐体(２)のスライドに伴って、指紋センサー(４)は、図９(ｂ)に示す様に操作側筐体(１)を保持する手の人差し指がセンサー面の上に載せられた状態から、図９(ｃ)に示す様に人差し指から離間する状態まで、前記スライド機構(３)の特性によって決まる略一定の速度で移動することになり、この過程で指紋センサー(４)の掃引が行なわれる。
【００１９】
図８は、指紋センサーの掃引並びに個人認証の手続きを表わしている。
先ずステップＳ１にて、前記スライド検知器(６)によって表示側筐体(２)が前述のバネ付勢が開始されることとなる位置までスライドしたことが検知されると、ステップＳ２に移行して、指紋センサー(４)による読み取りを開始する。
【００２０】
この結果、操作側筐体(１)に対する表示側筐体(２)のスライドに伴って、指紋センサー(４)の掃引が行なわれ、指紋の読み取りが実行されることになる。
【００２１】
その後、ステップＳ３にて、指紋の読み取りが終了したか否かを判断し、指紋の読み取りが終了すると、ステップＳ４では、読み取った指紋のデータを、予め登録されている指紋データと比較して、指紋の照合を行なう。
そして、ステップＳ５にて、指紋照合の結果がＯＫであることが判断されると、ステップＳ７にて次のステップへ移行するが、指紋照合の結果がＯＫでないときは、ステップＳ６にてＮＧとして取り扱い、警告表示等を行なう。
【００２２】
上記スライド式携帯電話機によれば、図９(ｂ)の途中位置から図９(ｃ)の開き位置へ至る表示側筐体(２)のスライドに伴って、指紋センサー(４)の掃引が行なわれ、その掃引速度は、スライド機構(３)の性能、具体的はバネ(31)の強さによって決定され、略一定の掃引速度が得られるので、指紋の読み取りは正常に行なわれ、その後の個人認証は正確に実施されることになる。
【００２３】
尚、上記スライド式携帯電話機では、スライド機構(３)のバネ(31)によって表示側筐体(２)を駆動する構成が採用されているが、これに限らず、モータ駆動によって表示側筐体(２)をスライド駆動することも可能であり、例えば図９に示す如く様に表示側筐体(２)の側面にスライド起動釦(８)を配備して、該スライド起動釦(８)の操作に応じて表示側筐体(２)の駆動を開始することが出来る。
この場合は、スライド起動釦(８)が操作されたことを検知した時点で若しくはその直後に、指紋センサー(４)による読み取りを開始すればよい。
【００２４】
図１０は、スライド式の携帯電話機において、操作側筐体(１)の表面であって操作キー(11)の下方位置に指紋センサー(４)を配備した例を示している。
この場合は、図１０(ａ)の如く表示側筐体(２)を開いた状態で、図１０(ｂ)の如く操作側筐体(１)の表面に人差し指を載せ、その指先を表示側筐体(２)の端面に押し当てる。
この状態で表示側筐体(２)のスライドを開始すると共に、指紋センサー(４)による指紋の読み取りを開始する。
【００２５】
この結果、表示側筐体(２)が開き位置から閉じ位置へ向けてスライド駆動される過程で、該表示側筐体(２)によって人差し指が押し下げられ、これによって指紋センサー(４)のセンサー面上を指先がスライドし、指紋センサー(４)の掃引が行なわれる。
【００２６】
図１１は、折り畳み式の携帯電話機において、表示側筐体(２)の背面に指紋センサー(４)を配備した例を示している。
該携帯電話機においては、操作側筐体(１)と表示側筐体(２)とがヒンジ機構(９)によって互いに開閉可能に連結されており、表示側筐体(２)は、図１１(ａ)に示す開き位置から図１１(ｃ)に示す閉じ位置まで回動する。
尚、表示側筐体(２)の背面には背面ディスプレイ(23)が配備されており、該背面ディスプレイ(23)の下方位置に指紋センサー(４)が配置されている。
【００２７】
ヒンジ機構(９)は、例えばバネを内蔵しており、操作側筐体(１)に対して表示側筐体(２)が閉じ位置から所定の角度まで開かれると、その後は該バネの付勢によって表示側筐体(２)を開き位置まで回転駆動し、或いは、操作側筐体(１)に対して表示側筐体(２)が開き位置から所定の角度まで閉じられると、その後は該バネの付勢によって表示側筐体(２)を閉じ位置まで回転駆動する構成を有している。
【００２８】
該折り畳み式携帯電話機における個人認証に際しては、図１１(ａ)に示す様に表示側筐体(２)を開いた状態で、図１１(ｂ)の如く操作側筐体(１)を手に保持し、その人差し指を表示側筐体(２)側の指紋センサー(４)のセンサー面の上に載せる。
そして、この状態から表示側筐体(２)を僅かに閉じ方向へ回転させると、表示側筐体(２)は図１１(ｃ)に示す閉じ位置まで自動的に回動することになる。
【００２９】
図１１(ｂ)の途中位置から図１１(ｃ)の閉じ位置へ至る表示側筐体(２)の回動に伴って、指紋センサー(４)は、図１１(ｂ)に示す様に操作側筐体(１)を保持する手の人差し指がセンサー面の上に載せられた状態から、図１１(ｃ)に示す様に人差し指から離間する状態まで、ヒンジ機構(９)の特性によって決まる略一定の速度で移動することになり、この過程で指紋センサー(４)の読み取りが開始されて、指紋センサー(４)の掃引が実施される。
【００３０】
尚、折り畳み式携帯電話機においても、操作側筐体(１)に対する表示側筐体(２)の開閉をモータ駆動によって行なうことが可能であり、例えば図１１(ａ)の如く操作側筐体(１)の側面に開閉起動釦(81)を配備して、該開閉起動釦(81)の操作に応じて表示側筐体(２)の開閉駆動を開始することが出来る。
この場合は、開閉起動釦(81)が操作されたことを検知した時点で若しくはその直後に、指紋センサー(４)による読み取りを開始すればよい。
【００３１】
上述の如く本発明に係る携帯電話機によれば、操作側筐体(１)に対する表示側筐体(２)のスライドや開閉動作に伴って指紋センサー(４)の掃引が行なわれるので、掃引速度は略一定となり、指紋センサー(４)による指紋の読み取りが安定して行なわれるので、その後の個人認証では正確な指紋照合が実施されて、正確な認証結果が得られる。
【００３２】
尚、本発明の各部構成は上記実施の形態に限らず、特許請求の範囲に記載の技術的範囲内で種々の変形が可能である。例えば、個人認証は指紋センサーを用いたものに限らず、周知の種々の生体認証センサーを用いた構成を採用することが出来る。又、本発明は、携帯電話機に限らず、２つの筐体を具えた種々の携帯端末機に実施することが可能である。
【図面の簡単な説明】
【００３３】
【図１】本発明をスライド式携帯電話機に実施した例の斜視図である。
【図２】該スライド式携帯電話機の背面を示す斜視図である。
【図３】該スライド式携帯電話機の開き状態を示す斜視図である。
【図４】該スライド式携帯電話機の開き状態での背面を示す斜視図である
【図５】該スライド式携帯電話機の分解斜視図である。
【図６】該スライド式携帯電話機の背面側から見た分解斜視図である。
【図７】該スライド式携帯電話機の構成を示すブロック図である。
【図８】該スライド式携帯電話機における制御手続きを表わすフローチャートである。
【図９】該スライド式携帯電話機における個人認証時の動作を表わす一連の斜視図である。
【図１０】本発明に係るスライド式携帯電話機の他の実施例における個人認証時の動作を表わす一連の斜視図である。
【図１１】本発明を折り畳み式携帯電話機に実施した例における個人認証時の動作を表わす一連の斜視図である。
【符号の説明】
【００３４】
(１)  操作側筐体
(11)  操作キー
(２)  表示側筐体
(21)  ディスプレイ
(３)  スライド機構
(４)  指紋センサー
(５)  制御回路
(６)  スライド検知器
(８)  スライド起動釦
(９)  ヒンジ機構
【図１】
2008244698.tif 000003
【図２】
2008244698.tif 000004
【図３】
2008244698.tif 000005
【図４】
2008244698.tif 000006
【図５】
2008244698.tif 000007
【図６】
2008244698.tif 000008
【図７】
2008244698.tif 000009
【図８】
2008244698.tif 000010
【図９】
2008244698.tif 000011
【図１０】
2008244698.tif 000012
【図１１】
2008244698.tif 000013